(57)【要約】      （修正有）【課題】物品の収納および取出しが容易で作業効率が良好なダンボール箱を提供する。【解決手段】互いに対向する２対の側壁２ａ、２ｂ、２ｃ、２ｄと、２対の側壁の下端によって規定される領域を閉塞する底壁３と、２対の側壁の上端によって規定される上部開口４を覆う蓋体５とを具備し、側壁の少なくとも１枚は、隣接する一対の側壁に沿って互いに対向して上下方向に設けられた一対の案内溝２４ａ、２４ｂと、該一対の案内溝に摺動可能に装着される側壁板２３とによって構成されている開閉可能に構成されているダンボール箱。【選択図】図１
2014118190.tif 000002
【特許請求の範囲】
【請求項１】
互いに対向する２対の側壁と、該２対の側壁の下端によって規定される領域を閉塞する底壁と、該２対の側壁の上端によって規定される上部開口を覆う蓋体と、を具備し、
該側壁の少なくとも１枚は、開閉可能に構成されている、
ことを特徴とするダンボール箱。
【請求項２】
該側壁の少なくとも１枚は、隣接する一対の側壁に沿って互いに対向して上下方向に設けられた一対の案内溝と、該一対の案内溝に摺動可能に装着される側壁板とによって構成されている、請求項１記載のダンボール箱。
【発明の詳細な説明】
【技術分野】
【０００１】
本発明は、物品を収納して移送するために用いるダンボール箱、特に工具等を収納して移送する大型のダンボール箱に関する。
【背景技術】
【０００２】
物品を収納して移送するために用いるダンボール箱は、一般に上壁が開放するように構成されており、上壁を開放し開放した上部開口から物品の出し入れをしている（例えば、特許文献１参照）。
【０００３】
工具等を収納して移送するダンボール箱は、縦１ｍ×横１m×高さ１m程度の大型のものが使用される。このように大型のダンボール箱を使用する場合は、一人がダンボール箱の中に入り、外にいる人が中にいる人に物品を受け渡す等の方法がとられ、二人係でダンボール箱に物品を収容している。また、ダンボール箱から物品を取り出す際には、上部から物品を取り出すよりは側部から取り出す方が容易であることからダンボール箱の上壁および側壁をカッターで切断して開口部を形成し、側壁に形成された開口部を通して物品を取り出している（ダンボール箱の上壁を切断して開口部を形成するのは、作業者が屈んでダンボール箱の中に入るという煩わしさを解消するため）。
【先行技術文献】
【特許文献】
【０００４】
【特許文献１】特開平８−２６８４７１号公報
【発明の概要】
【発明が解決しようとする課題】
【０００５】
而して、上述した大型のダンボール箱は、二人係で物品を収容しなければならないため作業効率が悪いという問題がある。
また、ダンボール箱から物品を取り出す際に側壁をカッターで切断して開口部を形成するが、大型のダンボール箱を構成するダンボールの厚みは１〜２cmあるために、側壁をカッターで切断して開口部を形成するには相当に時間と労力を要し作業効率が悪いという問題がある。
【０００６】
本発明は上記事実に鑑みてなされたものであり、その主たる技術的課題は、物品の収納および取出しが容易で作業効率が良好なダンボール箱を提供することである。
【課題を解決するための手段】
【０００７】
上記主たる技術課題を解決するため、本発明によれば、互いに対向する２対の側壁と、該２対の側壁の下端によって規定される領域を閉塞する底壁と、該２対の側壁の上端によって規定される上部開口を覆う蓋体と、を具備し、
該側壁の少なくとも１枚は、開閉可能に構成されている、
ことを特徴とするダンボール箱が提供される。
【０００８】
上記側壁の少なくとも１枚は、隣接する一対の側壁に沿って互いに対向して上下方向に設けられた一対の案内溝と、該一対の案内溝に摺動可能に装着される側壁板とによって構成されている。
【発明の効果】
【０００９】
本発明によるダンボール箱は、互いに対向する２対の側壁と、２対の側壁の下端によって規定される領域を閉塞する底壁と、２対の側壁の上端によって規定される上部開口を覆う蓋体とを具備し、側壁の少なくとも１枚は、開閉可能に構成されているので、物品を収納する際には、蓋体を取り外して上部開口を開放するとともに、開閉可能に構成され少なくとも１枚の側壁を開状態にして側部を開放する。この状態で作業者は、開放された側部からダンボール箱内に入って物品の収納作業をすることができる。このとき、上部開口も開放しているので、作業者が屈んで作業する必要はない。
また、ダンボール箱に収納された物品を取り出す際には、上述した物品の収納の際と同様に蓋体を取り外して上部開口を開放するとともに、開閉可能に構成され少なくとも１枚の側壁を開状態にして側部を開放する。この状態で作業者は、開放された側部からダンボール箱内に収納されている物品を取り出すことができる。このとき、上部開口も開放しているので、作業者が屈んで作業する必要はない。このように、蓋体を取り外すことにより上部開口が開放されるとともに、開閉可能に構成され少なくとも１枚の側壁を開状態にすることにより側部が開放されるので、従来のダンボール箱のように物品を取り出す際に側壁をカッターで切断して開口部を形成する必要がないため、作業効率を向上することができる。更に、カッターでダンボール箱を切断しないので、ダンボール箱を通箱として使い回しが可能となり、経済的である。
【図面の簡単な説明】
【００１０】
【図１】本発明に従って構成されたダンボール箱の構成部材を分解した斜視図。
【図２】本発明に従って構成されたダンボール箱の一部が組み付けられた状態の斜視図。
【図３】本発明に従って構成されたダンボール箱の斜視図。
【発明を実施するための形態】
【００１１】
以下、本発明に従って構成されたダンボール箱の好適な実施形態について、添付図面を参照して詳細に説明する。
【００１２】
図１には本発明に従って構成されたダンボール箱の構成部材を分解した斜視図が示されており、図２には本発明に従って構成されたダンボール箱の一部が組み付けられた状態の斜視図が示されており、図３には本発明に従って構成されたダンボール箱の斜視図が示されている。
図示の実施形態におけるダンボール箱は、互いに対向する２対の側壁２aおよび２b、２cおよび２dと、該２対の側壁２aおよび２b、２cおよび２dの下端によって規定される領域を閉塞する底壁３と、２対の側壁２aおよび２b、２cおよび２dの上端によって規定される上部開口４を覆う蓋体５とからなっており、これらは例えば厚みが１０mm程度のダンボール紙によって形成されている。なお、底壁３は側壁２aおよび２bの下端から折り曲げ可能な底壁板３aおよび３bからなっている。
【００１３】
上記側壁２a、２b、２c、２dのうちの１枚２dは、開閉可能に構成されている。図示の実施形態における側壁２dは、U字状に形成された案内溝形成部２１と、該案内溝形成部２１の内側に配設された該案内溝形成部２１とともに案内溝を形成するに互いに対向して上下方向に一対の案内溝を形成するU字状に形成された案内溝形成板２２と、該一対の案内溝に着脱可能に装着される側壁板２３とからなっている。
【００１４】
上記U字状に形成された案内溝形成部２１は、隣接する一対の側壁２aと２bに沿って上下方向に延びる垂直部２１a、２１bと該垂直部２１a、２１bの下端を接続する水平部２１cを備えている。上記U字状に形成された案内溝形成板２２も案内溝形成部２１と同様に上下方向に延びる垂直部２２a、２２bと該垂直部２２a、２２bの下端を接続する水平部２２cを備えており、案内溝形成部２１と所定の間隔（側壁板２３が摺動可能な寸法）を置いて配設され、垂直部２２a、２２bが上記側壁２aと２bの内面に装着されている。このようにして案内溝形成部２１と所定の間隔を置いて配設された案内溝形成板２２は、案内溝形成部２１とともに隣接する一対の側壁２aと２bに沿って互いに対向して上下方向に延びる一対の案内溝２４a、２４bを形成する。
【００１５】
上記側壁板２３は、側壁２a、２b、２c、２dおよび底壁３と同様に厚みが１０mm程度のダンボール紙によって矩形状に形成されており、一対の案内溝２４aと２４bに上方から挿入し案内溝２４aと２４bに沿って下方に底壁３まで摺動することにより、U字状に形成された案内溝形成部２１によって形成され側部開口２０を閉塞するとともに図２に示すように側壁２dを構成することができる。
【００１６】
以上のように、図示の実施形態における側壁２dは、側壁板２３を一対の案内溝２４aと２４bに上方から挿入し案内溝２４aと２４bに沿って下方に底壁３まで摺動して装着することにより側部開口２０を閉塞する閉状態と、側壁板２３を一対の案内溝２４a、２４bに沿って上方に摺動して抜きとることにより側部開口２０を開放する開状態にするように構成されている。
【００１７】
上記蓋体５は、矩形状の天壁５１と、該天壁５１の各辺から垂下して形成された垂下壁５２a、５２b、５２c、５２dとからなっており、垂下壁５２aと５２bの内面間が上記側壁２aと２bの外面間の寸法より僅かに長く形成され、垂下壁５２cと５２dの内面間が上記側壁２cと２dを構成する案内溝形成部２１の外面間の寸法より僅かに長く形成されている。従って蓋体５は、図３に示すように上記側壁２a、２b、２c、２dの上端部に嵌合して上部開口４を覆うことができる。
【００１８】
図示の実施形態におけるダンボール箱は以上のように構成されており、物品を収納する際には、図１に示すように蓋体５を取り外すとともに、側壁板２３を一対の案内溝２４a、２４bに沿って上方に摺動して抜きとる。この結果、上部開口４および側部開口２０が開放され開状態となる。この状態で作業者は、側部開口２０からダンボール箱内に入って物品の収納作業をすることができる。このとき、上部開口４も開放しているので、作業者が屈んで作業する必要はない。
【００１９】
上述したように物品を収納したならば、側壁板２３を一対の案内溝２４aと２４bに上方から挿入し案内溝２４aと２４bに沿って下方に底壁３まで摺動することにより側部開口２０を閉塞して閉状態とする。そして、図３に示すように蓋体５を側壁２a、２b、２c、２dの上端部に嵌合して上部開口４を覆う。このようにして物品を梱包したならば、ダンボール箱の外周に締め付けベルト（図示せず）を装着して、目的地に移送される。
【００２０】
次に、ダンボール箱に収納された物品を取り出す際には、外周に装着された締め付けベルトを切断した後、上述した物品の収納の際と同様に蓋体５を取り外すとともに、側壁板２３を一対の案内溝２４a、２４bに沿って上方に摺動して抜きとる。この結果、上部開口４および側部開口２０が開放され開状態となる。この状態で作業者は、側部開口２０からダンボール箱内に収納されている物品を取り出すことができる。このとき、上部開口４も開放しているので、作業者が屈んで作業する必要はない。このように、蓋体５および側壁板２３を取り外すことにより上部開口４および側部開口２０が開放されるので、従来のダンボール箱のように物品を取り出す際に側壁をカッターで切断して開口部を形成する必要がないため、作業効率を向上することができる。そして、カッターでダンボール箱を切断しないので、ダンボール箱を通箱として使い回しが可能となり、経済的である。
【００２１】
以上、本発明を図示の実施形態に基づいて説明したが、本発明は実施形態のみに限定されるものではなく、本発明の趣旨の範囲で種々の変形は可能である。例えば、上記実施形態においては側壁板２３をスライド式に構成した例を示したが、側壁板は扉式に構成してもよい。
また、上述した実施形態においては底壁３は側壁２aおよび２bの下端から折り曲げ可能な底壁板３aおよび３bによって形成した例を示したが、底壁は上記蓋体５と同様の構成にしてもよい。
【符号の説明】
【００２２】
２a、２b、２c、２d：側壁
２１：案内溝形成部
２２：案内溝形成板
２３：側壁板
２４a、２４b：案内溝
３：底壁
４：上部開口
５：蓋体
【図１】
2014118190.tif 000003
【図２】
2014118190.tif 000004
【図３】
2014118190.tif 000005